(57)【要約】３ＧＰＰ分析におけるシグナリングの最適化。本発明は第１のコアネットワーク機能（ＮＦ，１３）から第２のＮＦ（１４）に要求されたネットワーク情報を提供する方法と、この方法を実行するデバイスとに関する。一態様では、要求されたネットワーク情報を第２のＮＦエンティティ（１４、１５）に提供する、第１のコアＮＦエンティティ（１３）によって実行される方法が提供される。この方法は、第２のＮＦエンティティ（１４、１５）から発信されたネットワーク情報を取得するための要求を受信すること（Ｓ１０１、Ｓ２０１、Ｓ３０１）、要求されたネットワーク情報がどれくらいの長さにわたり有効であるかを規定する有効時間を決定すること（Ｓ１０２、Ｓ２０２、Ｓ３０２）、および要求されたネットワーク情報および有効時間を第２のＮＦエンティティ（１４、１５）に向けて送信すること（Ｓ１０３、Ｓ２０３、Ｓ３０３）を有する。【選択図】図２
2021520745.tif 000002
【特許請求の範囲】
【請求項１】
要求されたネットワーク情報を第２のＮＦエンティティ（１４、１５）に提供する第１のコアネットワーク機能（ＮＦ）エンティティ（１３）によって実行される方法であって、
前記第２のＮＦエンティティ（１４、１５）から発信される前記ネットワーク情報を取得するための要求を受信すること（Ｓ１０１、Ｓ２０１、Ｓ３０１）と、
前記要求されたネットワーク情報がどれくらいの長さにわたり有効であるかを規定する有効時間を決定すること（Ｓ１０２、Ｓ２０２、Ｓ３０２）と、
前記要求されたネットワーク情報および前記有効時間を前記第２のＮＦエンティティ（１４、１５）に向けて送信すること（Ｓ１０３、Ｓ２０３、Ｓ３０３）と、を有する方法。
【請求項２】
請求項１に記載の方法であって、前記要求は、前記要求が行われるネットワークスライスインスタンスを識別する少なくとも１つの識別子と、前記要求が行われるユーザデバイスまたはユーザデバイスのグループを識別する少なくとも１つの識別子と、のうちの少なくとも１つをさらに含む、方法。
【請求項３】
請求項１または２に記載の方法であって、前記受信される（Ｓ３０１）要求は、前記要求されたネットワーク情報が取得される周期のインジケーションをさらに含み、前記要求されたネットワーク情報と前記有効時間を送信すること（Ｓ３０３）は、
前記要求されたネットワーク情報を、前記決定された有効時間によって規定された周期で送信すること、を含む方法。
【請求項４】
請求項３記載の方法であって、さらに、
前記第２のＮＦエンティティ（１４、１５）に向けて、前記決定された有効時間によって規定される推奨周期を含むメッセージを送信すること（Ｓ３０２ａ）と、
前記決定された有効時間によって規定される前記推奨周期を使用すべきか否かを示す確認であって前記第２のＮＦエンティティ（１４、１５）から発信される確認を受信する（Ｓ３０２ｂ）ことと、を有する方法。
【請求項５】
請求項３または４に記載の方法であって、さらに、
前記要求されたネットワーク情報のための前記有効時間が変更されたと判定された場合、前記第２のＮＦエンティティ（１４、１５）に向けて更新メッセージを送信すること（Ｓ３０２ｄ）と、当該更新メッセージは、前記変更されたと判定された有効時間によって規定された推奨周期を含むものであり、
前記変更されたと判定された有効時間によって規定された前記推奨周期を使用すべきか否かを示す確認であって前記第２のＮＦエンティティ（１４、１５）から発信された確認を受信すること（Ｓ３０２ｅ）と、を有する方法。
【請求項６】
請求項１から５のいずれか１項に記載の方法であって、前記ネットワーク情報を取得するために前記第２のＮＦエンティティ（１４、１５）から発信された前記要求が、プロキシデバイス（１９）を介して、受信され（Ｓ４０１ｃ）、前記第２のＮＦエンティティ（１４、１５）へ前記要求されたネットワーク情報を転送するために、前記要求されたネットワーク情報および前記有効時間が前記プロキシデバイス（１９）へ送信される（Ｓ４０３ａ）、方法。
【請求項７】
応答側のコアＮＦエンティティ（１３）のネットワーク情報を取得する、要求側のネットワーク機能（ＮＦ）エンティティ（１４、１５）によって実行される方法であって、
前記応答側のコアＮＦエンティティ（１３）に向けて、前記ネットワーク情報を取得するための要求を送信すること（Ｓ１０１、Ｓ２０１、Ｓ３０１）と、
前記要求されたネットワーク情報と、前記要求されたネットワーク情報がどれくらいの長さにわたり有効であるかを規定する、前記応答側のコアＮＦエンティティ（１３）によって決定された有効時間を、受信すること（Ｓ１０３、Ｓ２０３、Ｓ３０３）と、を有する方法。
【請求項８】
請求項７に記載の方法であって、前記要求側のＮＦエンティティ（１４、１５）は、前記有効時間が経過していない限り、前記ネットワーク情報に対する別の要求を行うことを控える、方法。
【請求項９】
請求項７または８に記載の方法であって、さらに、
前記受信されたネットワーク情報と前記有効時間を記憶する（Ｓ２０４、Ｓ３０４、Ｓ４０４）こと、を有する方法。
【請求項１０】
請求項７から９のいずれか１項に記載の方法であって、前記要求は、前記要求が行われるネットワークスライスインスタンスを識別する少なくとも１つの識別子と、前記要求が行われるユーザデバイスまたはユーザデバイスのグループを識別する少なくとも１つの識別子と、のうちの少なくとも１つをさらに含む、方法。
【請求項１１】
請求項７から１０のいずれか１項に記載の方法であって、前記送信される（Ｓ３０１）要求は、前記要求されたネットワーク情報が取得される周期のインジケーションをさらに含む、方法。
【請求項１２】
請求項１１に記載の方法であって、さらに、
前記応答側のコアＮＦエンティティ（１３）から、前記決定された有効時間によって規定された推奨周期を含むメッセージを受信すること（Ｓ３０２ａ）と、前記決定された有効時間によって規定された前記推奨周期を使用すべきか否かを示す確認を前記応答側のコアＮＦエンティティ（１３）に送信すること（Ｓ３０２ｂ）と、を有する方法。
【請求項１３】
請求項１１または１２に記載の方法であって、さらに、
前記要求されたネットワーク情報のための前記有効時間が変更されたと判定された場合、前記応答側のコアＮＦエンティティ（１３）から更新メッセージを受信すること（Ｓ３０２ｄ）と、前記更新メッセージは、前記変更されたと判定された有効時間によって規定された推奨周期を含むものであり、
前記変更されたと判定された有効時間によって規定された前記推奨周期を使用すべきか否かを示す確認を前記応答側のコアＮＦエンティティ（１３）に送信すること（Ｓ３０２ｅ）と、を有する方法。
【請求項１４】
請求項７から１３のいずれか１項に記載の方法であって、前記ネットワーク情報を取得するための前記応答側のコアＮＦエンティティ（１３）への前記要求は、プロキシデバイス（１９）を介して、送信され（Ｓ４０１ｃ）、前記プロキシデバイス（１９）からのちに前記要求されたネットワーク情報および前記有効時間が受信される（Ｓ４０３ｃ）、方法。
【請求項１５】
要求された第１のコアネットワーク機能（ＮＦ）エンティティ（１３）のネットワーク情報を第２のＮＦエンティティ（１４）に提供するプロキシデバイス（１９）によって実行される方法であって、
前記第２のＮＦエンティティ（１４）から前記ネットワーク情報を取得するための要求を受信すること（Ｓ４０１ａ）と、
前記第１のコアＮＦエンティティ（１３）へ、前記ネットワーク情報を取得するための前記要求を送信すること（Ｓ４０１ｃ）と、
前記第１のコアＮＦエンティティ（１３）から、前記要求されたネットワーク情報と、前記要求されたネットワーク情報がどれくらいの長さにわたり有効であるかを規定する、前記第１のコアＮＦエンティティ（１３）によって決定された有効時間とを受信すること（Ｓ４０３ａ）と、
前記要求されたネットワーク情報を前記第２のＮＦエンティティ（１４）に送信すること（Ｓ４０３ｃ）と、を有する方法。
【請求項１６】
請求項１５に記載の方法であって、前記第２のＮＦエンティティ（１４）は、前記有効時間が経過していない限り、前記ネットワーク情報に対する別の要求を行うことを控える、方法。
【請求項１７】
請求項１５または１６に記載の方法であって、前記方法は、さらに、
前記第３のＮＦエンティティ（１５）から前記ネットワーク情報を取得するための要求を受信すること（Ｓ４０５）と、前記ネットワーク情報のための前記有効時間が経過していない場合、
前記第３のＮＦエンティティ（１５）へ、前記要求されたネットワーク情報を送信すること（Ｓ４０６）と、を有する方法。
【請求項１８】
請求項１５または１６に記載の方法であって、前記方法は、さらに、
第３のＮＦエンティティ（１５）から前記ネットワーク情報を取得するための要求を受信すること（Ｓ４０８）と、前記ネットワーク情報のための前記有効時間が経過した場合、
前記第１のコアＮＦエンティティ（１３）へ、前記ネットワーク情報を取得するための前記要求を送信することと、
前記第１のコアＮＦエンティティ（１３）から、前記要求されたネットワーク情報と、前記要求されたネットワーク情報がどれくらいの長さにわたり有効であるかを規定する、前記第１のコアＮＦエンティティ（１３）によって決定された新しい有効時間と、を受信することと、
前記要求されたネットワーク情報を前記第３のＮＦエンティティ（１５）に送信すること（Ｓ４０９）と、を有する方法。
【請求項１９】
請求項１５に記載の方法であって、前記第３のＮＦエンティティ（１４）は、前記有効時間が経過していない限り、前記ネットワーク情報に対する別の要求を行うことを控える、方法。
【請求項２０】
第１のコアネットワーク機能（ＮＦ）エンティティ（１３）であって、要求されたネットワーク情報を第２のＮＦエンティティ（１４、１５）に提供するように構成されており、前記第１のコアＮＦエンティティ（１３）は、プロセッシングユニット（１１５）とメモリ（１１７）とを備え、前記メモリは、前記プロセッシングユニットによって実行可能な命令（１１６）を含み、それによって前記第１のコアＮＦエンティティ（１３）は、
前記第２のＮＦエンティティ（１４、１５）から発信される、前記ネットワーク情報を取得するための要求を受信し、
前記要求されたネットワーク情報がどれくらいの長さにわたり有効であるかを規定する有効時間を決定し、
前記要求されたネットワーク情報および前記有効時間を前記第２のＮＦエンティティ（１４、１５）に向けて送信する、ように動作する第１のコアＮＦエンティティ（１３）。
【請求項２１】
請求項２０に記載の第１のコアＮＦエンティティ（１３）であって、前記要求は、さらに、前記要求がなされるネットワークスライスインスタンスを識別する少なくとも１つの識別子と、前記要求がなされるユーザデバイスまたはユーザデバイスのグループを識別する少なくとも１つの識別子とのうちの少なくとも１つを有するように構成される、第１のコアＮＦエンティティ（１３）。
【請求項２２】
請求項２０または２１に記載の第１のコアＮＦエンティティ（１３）であって、前記受信される要求は、前記要求ネットワーク情報が取得される周期のインジケーションをさらに含むように構成されており、前記第１のコアＮＦエンティティ（１３）は、さらに、前記要求されたネットワーク情報および前記有効時間を送信するときに、
前記要求されたネットワーク情報を、前記決定された有効時間によって規定される周期で送信する、ように動作する第１のコアＮＦエンティティ（１３）。
【請求項２３】
請求項２２に記載の第１のコアＮＦエンティティ（１３）であって、さらに、
前記第２のＮＦエンティティ（１４、１５）に向けて、前記決定された有効時間によって規定される推奨周期を含むメッセージを送信し、
前記決定された有効時間によって規定される前記推奨周期が使用されるべきか否かを示す、前記第２のＮＦエンティティ（１４、１５）から発信する確認を受信する、ように動作する第１のコアＮＦエンティティ（１３）。
【請求項２４】
請求項２２または２３に記載の第１のコアＮＦエンティティ（１３）であって、さらに、
前記要求されたネットワーク情報のための前記有効時間が変更されたと判定された場合に、前記第２のＮＦエンティティ（１４、１５）に向けて更新メッセージを送信し、前記更新メッセージは、前記変更されたと判定された有効時間によって規定された推奨周期を含み、
前記変更されたと判定された有効時間によって規定された前記推奨周期を使用すべきか否かを示す、前記第２のＮＦエンティティ（１４、１５）から発信された確認を、受信する、ように動作する第１のコアＮＦエンティティ（１３）。
【請求項２５】
請求項２０から２４のいずれか１項に記載の第１のコアＮＦエンティティ（１３）であって、前記ネットワーク情報を取得するために、前記第２のＮＦエンティティ（１４、１５）から発信される前記要求は、前記要求されたネットワーク情報を前記第２のＮＦエンティティ（１４、１５）に転送するために、前記要求されたネットワーク情報および前記有効時間を送信される（Ｓ４０３ａ）プロキシデバイス（１９）を介して、受信される（Ｓ４０１ｃ）、第１のコアＮＦエンティティ（１３）。
【請求項２６】
応答側のコアＮＦエンティティ（１３）のネットワーク情報を取得するように構成された要求側のネットワーク機能（ＮＦ）エンティティ（１４、１５）であって、前記要求側のＮＦエンティティ（１４、１５）は、プロセッシングユニット（１２５）とメモリ（１２７）とを含み、前記メモリは、前記プロセッシングユニットによって実行可能な命令（１２６）を含み、それによって、前記要求側のＮＦエンティティ（１４、１５）は、
前記応答側のコアＮＦエンティティ（１３）に向けて前記ネットワーク情報を取得するための要求を送信し、
前記要求されたネットワーク情報と、前記要求されたネットワーク情報がどれくらいの長さにわたり有効であるかを規定する、前記応答側のコアＮＦエンティティ（１３）によって決定された有効時間と、を受信する、ように動作する要求側のＮＦエンティティ（１４、１５）。
【請求項２７】
請求項２６に記載の要求側のＮＦエンティティ（１４、１５）であって、前記要求側のＮＦエンティティ（１４、１５）は、前記有効時間が経過していない限り、前記ネットワーク情報に対する別の要求を控えるように構成される、要求側のＮＦエンティティ（１４、１５）。
【請求項２８】
請求項２６または２７に記載の要求側のＮＦエンティティ（１４、１５）であって、さらに、
前記受信されたネットワーク情報と前記有効時間を記憶する、ように動作する要求側のＮＦエンティティ（１４、１５）。
【請求項２９】
請求項２６から２８のいずれか１項に記載の要求側のＮＦエンティティ（１４、１５）であって、前記要求がなされるネットワークスライスインスタンスを識別する少なくとも１つの識別子と、前記要求がなされるユーザデバイスまたはユーザデバイスのグループを識別する少なくとも１つの識別子とのうちの少なくとも１つを含むようにさらに構成される、要求側のＮＦエンティティ（１４、１５）。
【請求項３０】
請求項２６から２９のいずれか１項に記載の要求側のＮＦエンティティ（１４、１５）であって、前記送信される（Ｓ３０１）要求は、前記要求側のネットワーク情報が取得される周期のインジケーションを含むようにさらに構成される、要求側のＮＦエンティティ（１４、１５）。
【請求項３１】
請求項３０に記載の要求側のＮＦエンティティ（１４、１５）であって、さらに、
前記応答側のコアＮＦエンティティ（１３）から、前記決定された有効時間によって規定される推奨周期を含むメッセージを受信し、
前記決定された有効時間によって規定される前記推奨周期を使用すべきか否かを示す確認を前記応答側のコアＮＦエンティティ（１３）に送信する、ように動作する要求側のＮＦエンティティ（１４、１５）。
【請求項３２】
請求項３０または３１に記載の要求側のＮＦエンティティ（１４、１５）であって、さらに、
前記要求されたネットワーク情報のための前記有効時間が変更されたと判定された場合、前記応答側のコアＮＦエンティティ（１３）から更新メッセージを受信し、前記更新メッセージは、前記変更されたと判定された有効時間によって規定される推奨周期を含み、
前記変更されたと判定された有効時間によって規定される前記推奨周期を使用すべきか否かを示す確認を前記応答側のコアＮＦエンティティ（１３）に送信する、ように動作する要求側のＮＦエンティティ（１４、１５）。
【請求項３３】
請求項２６から３３のいずれか１項に記載の要求側のＮＦエンティティ（１４，１５）であって、前記ネットワーク情報を取得するための前記応答側のコアＮＦエンティティ（１３）への前記要求は、プロキシデバイス（１９）を介して、送信され（Ｓ４０１ｃ）、前記要求されたネットワーク情報と前記有効時間がのちに前記プロキシデバイス（１９）から受信される（Ｓ４０３ｃ）、要求側のＮＦエンティティ（１４、１５）。
【請求項３４】
プロキシデバイス（１９）であって、第１のコアネットワーク機能（ＮＦ）エンティティ（１３）の、要求されたネットワーク情報を第２のＮＦエンティティ（１４）に提供するように構成されており、前記プロキシデバイス（１９）は、プロセッシングユニット（１３５）およびメモリ（１３７）を有し、前記メモリは、前記プロセッシングユニットによって実行可能な命令（１３６）を含み、それによって前記プロキシデバイス（１９）は、
前記第２のＮＦエンティティ（１４）から、前記ネットワーク情報を取得するための要求を受信し、
前記第１のコアＮＦエンティティ（１３）に、前記ネットワーク情報を取得するための前記要求を送信し、
前記第１のコアＮＦエンティティ（１３）から、前記要求されたネットワーク情報と、前記要求されたネットワーク情報がどれくらいの長さにわたり有効であるかを規定する、前記第１のコアＮＦエンティティ（１３）によって決定された有効時間と、を受信し、
前記要求されたネットワーク情報を前記第２のＮＦエンティティ（１４）に送信する、ように動作するプロキシデバイス（１９）。
【請求項３５】
請求項３４に記載のプロキシデバイス（１９）であって、前記第２のＮＦエンティティ（１４）は、前記有効時間が経過していない限り、前記ネットワーク情報に対する別の要求を控えるように構成される、プロキシデバイス（１９）。
【請求項３６】
請求項３４または３５に記載のプロキシデバイス（１９）であって、さらに、
第３のＮＦエンティティ（１５）から、前記ネットワーク情報を取得するための要求を受信し、前記ネットワーク情報の前記有効時間が経過していない場合、
前記第３のＮＦエンティティ（１５）に、前記要求されたネットワーク情報を送信する、プロキシデバイス（１９）。
【請求項３７】
請求項３４または３５に記載のプロキシデバイス（１９）であって、さらに、
第３のＮＦエンティティ（１５）から、前記ネットワーク情報を取得するための要求を受信し、前記ネットワーク情報のための前記有効時間が経過した場合、
前記第１のコアＮＦエンティティ（１３）に、前記ネットワーク情報を取得するための前記要求を送信し、
前記第１のコアＮＦエンティティ（１３）から、前記要求されたネットワーク情報と、前記要求されたネットワーク情報がどれくらいの長さにわたり有効であるかを規定する、前記第１のコアＮＦエンティティ（１３）によって決定された新しい有効時間と、を受信し、
前記要求されたネットワーク情報を前記第３のＮＦエンティティ（１５）に送信する、ように動作するプロキシデバイス（１９）。
【請求項３８】
請求項３４に記載のプロキシデバイス（１９）であって、前記第３のＮＦエンティティ（１４）は、前記有効時間が経過していない限り、前記ネットワーク情報に対する別の要求を控えるように構成される、プロキシデバイス（１９）。
【請求項３９】
コンピュータ実行可能な命令が、第１のコアＮＦエンティティ（１３）に含まれるプロセッシングユニット（１１５）上で実行されると、前記第１のコアＮＦエンティティ（１３）に、請求項１から６のいずれか１項に記載のステップを実行させるための当該コンピュータ実行可能な命令を含むコンピュータプログラム（１１６）。
【請求項４０】
コンピュータ可読媒体（１１７）を含むコンピュータプログラムプロダクトであって、前記コンピュータ可読媒体はその上に具現化された請求項３９に記載のコンピュータプログラム（１１６）を有する、コンピュータプログラムプロダクト。
【請求項４１】
コンピュータ実行可能な命令が要求側のＮＦエンティティ（１４、１５）に含まれるプロセッシングユニット（１２５）上で実行されると、当該要求側のＮＦエンティティ（１４、１５）に請求項７から１４のいずれか１項に記載のステップを実行させるための当該コンピュータ実行可能な命令を含む、コンピュータプログラム（１２６）。
【請求項４２】
コンピュータ可読媒体（１２７）を含むコンピュータプログラムプロダクトであって、前記コンピュータ可読媒体はその上に具現化された請求項４１に記載のコンピュータプログラム（１２６）を含む、コンピュータプログラムプロダクト。
【請求項４３】
コンピュータ実行可能な命令がプロキシデバイス（１９）に含まれるプロセッシングユニット（１３５）上で実行されると、当該プロキシデバイス（１９）に請求項１５から１９のいずれか１項に記載のステップを実行させるための当該コンピュータ実行可能な命令を含む、コンピュータプログラム（１３６）。
【請求項４４】
コンピュータ可読媒体（１３７）を含むコンピュータプログラムプロダクトであって、前記コンピュータ可読媒体はその上に具現化された請求項４３に記載のコンピュータプログラム（１３６）を含む、コンピュータプログラムプロダクト。
【発明の詳細な説明】
【技術分野】
【０００１】
第１のコアネットワーク機能（ＮＦ）から第２のＮＦに要求されたネットワーク情報を提供する方法、およびこの方法を実行する装置に関する。
【背景技術】
【０００２】
第三世代パートナーシッププロジェクト（３ＧＰＰ）によって標準化されている第５世代（５Ｇ）システムアーキテクチャは、例えば、以下のような技術を使用するためのデプロイメント（設置展開）を可能にするデータコネクティビティおよびサービスをサポートするように定義される。たとえば、ネットワーク機能仮想化（ＮＦＶ）とソフトウェア定義ネットワーキング（ＳＤＮ）など。
【０００３】
図１は、加入データおよびポリシーデータを記憶する統合データリポジトリ（ＵＤＲ、１０）、能力およびイベントを公開するためのネットワーク公開機能（ＮＥＦ、１１）、および登録、コネクション、到達可能性、モビリティ（移動性）などを管理するように構成されたアクセスおよびモビリティ管理機能（ＡＭＦ、１２）などの、いわゆるネットワーク機能（ＮＦ）またはコアネットワーク機能エンティティを含む複数の５Ｇコアネットワークを示す。
【０００４】
さらに、５Ｇコアネットワークは、オペレータ管理ネットワーク分析理機能を代表するネットワークデータ分析機能（ＮＷＤＡＦ、１３）を含む。ＮＷＤＡＦは、例えば、３ＧＰＰ規格  ＴＳ  ２３．５０２で説明されている。ＮＷＤＡＦは、スライスごとのネットワークデータ分析などのネットワーク情報を、ポリシー制御機能（ＰＣＦ、１４）やネットワークスライス選択機能（ＮＳＳＦ、１５）などの他のネットワーク機能エンティティに提供するネットワーク機能エンティティの例である。ＮＷＤＡＦ１３は、ネットワーク・スライス・インスタンス・レベルでネットワーク分析情報（すなわち、負荷レベル情報）をＰＣＦ１４およびＮＳＳＦ１５に提供するが、ＮＷＤＡＦ１３は、スライスを使用する現在の加入者を認識する必要はない。ＮＷＤＡＦ１３は、サブスクライブ（加入）されたＰＣＦおよびＮＳＳＦにスライスごとのネットワーク状態分析情報を通知／公開する。ＰＣＦとＮＳＳＦは、ＮＷＤＡＦからスライスごとのネットワーク状態分析情報を直接収集することができる。この情報は加入者ごとのものではない。ＰＣＦ１４は、そのデータをそのポリシー決定に使用する。ＮＳＳＦ１５は、スライス選択のために、すなわち、どのスライスが、例えば携帯電話などのユーザ装置（ＵＥ）にサービスを提供すべきかを、選択するために、ＮＷＤＡＦ１３によって提供される負荷レベル情報を使用してもよい。
【０００５】
さらに、アプリケーション機能（ＡＦ、１６）はトラフィックルーティングに対するアプリケーションの影響をサポートし、セッション管理機能（ＳＭＦ、１７）はセッション確立、修正、解放などのセッション管理を実行するように構成され、ユーザプレーン機能（ＵＰＦ、１８）は、ユーザプレーンパケットを処理するサービス機能であり、この処理には、パケットのペイロードおよび／またはヘッダーの変更、データネットワークへの相互接続、パケットルーティングおよび転送などが含まれることがある。なお、図１に示されたものよりもさらに別のＮＦが５Ｇコアネットワークに含まれてもよいことに留意されたい。
【０００６】
コアネットワークにおいて、ＮＦは、定期的にネットワーク分析情報を受信したり、即座に情報を要求して受信したりするために、ＮＷＤＡＦをサブスクライブしてもよい。現行のソリューションの課題は、コアネットワーク内に生成される潜在的に不必要なシグナリング負荷である。いくつかのネットワーク分析情報は、時間が経過しても著しく変化することはなく、静的でさえあることがある。したがって、同じ情報（または非常に類似した情報）が繰り返し提供され、ネットワークにおける冗長なシグナリングをもたらす。
【発明の概要】
【０００７】
本発明の目的は、ＮＷＤＡＦからＮＦに要求されたネットワーク分析情報を提供するコアネットワークにおいて、この課題を解決するか、または少なくとも軽減する方法を提供することである。
【０００８】
この目的は、本発明の第１の態様において、要求されたネットワーク情報を第２のＮＦエンティティに提供する第１のコアＮＦエンティティによって実行される方法によって達成される。この方法は、第２のＮＦエンティティから発信されるネットワーク情報を取得するためのリクエスト（要求）を受信することと、要求されたネットワーク情報がどれくらいの長さにわたり有効であるかを規定する有効時間を決定することと、要求されたネットワーク情報および有効時間を第２のＮＦエンティティに向けて送信することと、を有する。
【０００９】
この目的は、本発明の第２の態様では、要求されたネットワーク情報を第２のＮＦエンティティに提供するように構成された第１のコアＮＦエンティティによって達成され、第１のコアＮＦエンティティは、プロセッシングユニットおよびメモリを備え、メモリは、プロセッシングユニットによって実行可能な命令を含み、それによって、第１のコアＮＦエンティティは、第２のＮＦエンティティから発信されるネットワーク情報を取得するための要求を受信し、要求されたネットワーク情報がどれくらいの長さにわたり有効であるかを規定する有効時間を決定し、要求されたネットワーク情報および有効時間を、第２のＮＦエンティティに向けて送信する、ように動作可能である。
【００１０】
この目的は、本発明の第３の態様において、応答側のコアＮＦエンティティのネットワーク情報を取得する要求側のＮＦエンティティによって実行される方法によって達成される。この方法は、応答側のコアＮＦエンティティに向けて、ネットワーク情報を取得するための要求を送信することと、要求されたネットワーク情報と、要求されたネットワーク情報がどれくらいの長さにわたり有効であるかを規定する、応答側のコアＮＦエンティティによって決定された有効時間とを受信することと、を有する。
【００１１】
この目的は、本発明の第４の態様では、応答側のコアＮＦエンティティのネットワーク情報を取得するように構成された要求側のＮＦエンティティによって達成され、要求側のＮＦエンティティは、プロセッシングユニットおよびメモリを含み、メモリは、プロセッシングユニットによって実行可能な命令を含み、それによって、要求側のＮＦエンティティは、応答側のコアＮＦエンティティに向けて、ネットワーク情報を取得するための要求を送信し、要求されたネットワーク情報と、要求されたネットワーク情報がどれくらいの長さにわたり有効であるかを規定する、応答側のコアＮＦエンティティによって決定された有効時間とを受信する、ように動作可能である。
【００１２】
この目的は、要求された第１のコアＮＦエンティティのネットワーク情報を第２のＮＦエンティティに提供するプロキシデバイスによって実行される方法によって、本発明の第５の態様で達成される。この方法は、第２のＮＦエンティティから、ネットワーク情報を取得するための要求を受信することと、第１のコアＮＦエンティティに、ネットワーク情報を取得するための要求を送信することと、第１のコアＮＦエンティティから、要求されたネットワーク情報と、要求されたネットワーク情報がどれくらいの長さにわたり有効であるかを規定する、第１のコアＮＦエンティティによって決定された有効時間とを受信することと、要求されたネットワーク情報を第２のＮＦエンティティに送信することと、を有する。
【００１３】
この目的は、本発明の第６の態様では、要求された第１のコアＮＦエンティティのネットワーク情報を第２のＮＦエンティティに提供するように構成されたプロキシデバイスによって達成され、プロキシデバイスは、プロセッシングユニットおよびメモリを備え、メモリは、プロセッシングユニットによって実行可能な命令を含み、それによって、プロキシデバイスは、第２のＮＦエンティティから、ネットワーク情報を取得するための要求を受信し、第１のコアＮＦエンティティに、ネットワーク情報を取得するための要求を送信し、第１のコアＮＦエンティティから、要求されたネットワーク情報と、要求されたネットワーク情報がどれくらいの長さにわたり有効であるかを規定する、第１のコアＮＦエンティティによって決定された有効時間とを受信し、要求されたネットワーク情報を第２のＮＦエンティティに送信するように動作する。
【００１４】
一態様では、要求側のＮＦエンティティは、ネットワーク分析情報とも呼ばれるネットワーク情報を取得するための要求を、応答側のコアＮＦエンティティに送信する。たとえば、要求側のＮＦエンティティは、応答側のコアＮＦエンティティによってハンドリングされる（取り扱われる）１つ以上のネットワークスライスインスタンスに対して、特定の曜日のトラフィック負荷のインジケーションを要求する。したがって、この要求は、特定のネットワーク情報を指定するインジケータを含む。
【００１５】
要求側のＮＦエンティティからの要求を受信すると、応答側のコアＮＦエンティティは、要求されたネットワーク情報（例えば、ローカルストレージから）を取得し、要求されたネットワーク情報がどれくらいの長さにわたり有効であるかを示す、要求されたネットワーク情報に有効時間を関連付ける。
【００１６】
その後、応答側のコアＮＦエンティティは、要求されたネットワーク情報および関連する有効時間を要求側のＮＦエンティティに送信する。
【００１７】
有利なことには、要求されたネットワーク情報に関連付けられた有効時間を用いて、要求側のＮＦエンティティは、いくつかの結論に達することができる。例えば、要求側のＮＦエンティティは、（１）要求（リクエスト）／応答（レスポンス）動作の場合に有効時間が満了するまで情報を再び要求する必要がないと結論付けることができ、または（２）加入／通知動作の場合に要求されたネットワーク分析情報を受信することを期待する周期を更新することができる。（１）において、本発明は、応答側のコアＮＦエンティティとネットワーク分析情報を要求するＮＦとの間の不必要なシグナリングを低減することを可能にする。（２）において、有効時間が、ＮＦが要求された情報をサブスクライブすることを希望する周期よりも長い場合、不必要な信号は回避され、一方、有効時間が要求された情報をＮＦがサブスクライブすることを希望する周期より短い場合、最新の情報がＮＦで受信される。
【００１８】
一実施形態では、要求ＮＦエンティティから送信される要求は、さらに、要求の対象となるネットワークスライスインスタンスを識別する少なくとも１つの識別子と、要求の対象となるユーザデバイスまたはユーザデバイスのグループを識別する少なくとも１つの識別子と、のうちの少なくとも１つを含む。
【００１９】
別の実施形態では、要求側のＮＦエンティティから送信される要求は、要求されたネットワーク情報が取得される周期のインジケーションをさらに含み、応答側のコアＮＦエンティティは、決定された有効時間によって規定される周期で要求されたネットワーク情報を送信する。
【００２０】
さらなる実施形態では、応答側のコアＮＦエンティティは、決定された有効時間によって規定された推奨周期を含むメッセージを要求側のＮＦエンティティに送信し、要求側のＮＦエンティティは、決定された有効時間によって規定された推奨周期を使用すべきかどうかを示す確認を送信する。
【００２１】
別の実施形態では、応答側のコアＮＦエンティティは、要求されたネットワーク情報の有効時間が変更されたと判定された場合に、更新メッセージを第２のＮＦエンティティに送信し、更新メッセージは、判定された変更された有効時間によって規定される推奨された周期を含み、要求側のＮＦエンティティは、判定された変更された有効時間によって規定される推奨された周期が使用されるべきかどうかを示す確認を送信する。
【００２２】
さらに一実施形態では、ネットワーク情報を取得するために要求側のＮＦエンティティから発信された要求は、プロキシデバイスを介して、応答側のコアＮＦエンティティにより受信され、第２のＮＦエンティティ（１４、１５）に転送するために、要求されたネットワーク情報および有効時間はプロキシデバイスに送信される。
【００２３】
一実施形態では、要求側のＮＦエンティティは、有効時間が経過していない限り、前記ネットワーク情報に対する別の要求を行うことを控える。
【００２４】
さらに一実施形態では、要求側のＮＦは、受信されたネットワーク情報および有効時間を登録する。
【００２５】
さらなる態様では、要求側のＮＦエンティティは、ネットワーク情報を取得するための要求を、その要求を転送するプロキシデバイスを介して、応答側のコアＮＦエンティティに送信する。
【００２６】
これに応答して、応答側のコアＮＦエンティティは、要求されたネットワーク情報の有効時間を決定し、要求されたネットワーク情報および有効時間を含む応答メッセージをプロキシデバイスに送信する。次に、プロキシデバイスは受信された情報を保存し、要求されたネットワーク情報を要求側のＮＦエンティティに転送する。
【００２７】
ここで、別のＮＦエンティティが、要求側およびプロキシデバイスに配信されたばかりのものと同一のネットワーク情報を取得することを希望していると仮定すると、別のＮＦエンティティは、有効時間がまだ経過していない場合に、要求されたネットワーク情報を配信するプロキシデバイスに対して、要求を送信する。
【００２８】
本発明の第７の態様では、第１のコアＮＦエンティティに含まれるプロセッシングユニット上でコンピュータ実行可能な命令が実行されると、第１のコアＮＦエンティティに第１の態様の方法で列挙されるステップを実行させるためのコンピュータ実行可能な命令を有するコンピュータプログラムが提供される。
【００２９】
本発明の第８の態様では、コンピュータ可読媒体を有するコンピュータプログラムプロダクトが提供され、コンピュータ可読媒体は、第７の態様のコンピュータプログラムをその上に具現化される。
【００３０】
本発明の第９の態様では、要求側のＮＦエンティティに含まれるプロセッシングユニット上でコンピュータ実行可能な命令が実行されると、要求側のＮＦエンティティに第３の態様の方法で列挙されるステップを実行させるためのコンピュータ実行可能な命令を有するコンピュータプログラムが提供される。
【００３１】
本発明の第１０の態様では、コンピュータ可読媒体を有するコンピュータプログラムプロダクトが提供され、コンピュータ可読媒体は、その上に具現化された第９の態様のコンピュータプログラムを有する。
【００３２】
本発明の第１１の態様では、コンピュータ実行可能な命令が、プロキシデバイスに含まれるプロセッシングユニット上で実行されるときに、プロキシデバイスに、第５の態様の方法に記載されるステップを実行させるためのコンピュータ実行可能な命令を有するコンピュータプログラムが提供される。
【００３３】
本発明の第１２の態様では、コンピュータ可読媒体を有するコンピュータプログラムプロダクトが提供され、コンピュータ可読媒体は、第１１の態様のコンピュータプログラムをその上に具現化される。
【００３４】
一般に、特許請求の範囲において使用される全ての用語は、本明細書において特に明確に定義されない限り、技術分野におけるそれらの通常の意味に従って解釈されるべきである。「ａ／ａｎ／ｔｈｅ＋要素、装置、構成要素、手段、ステップ等」への言及はすべて、特に明記しない限り、要素、装置、構成要素、手段、ステップ等の少なくとも１つのインスタンスを指すものとして開放的に解釈されるべきである。本明細書に開示される任意の方法のステップは、明示的に述べられない限り、開示される正確な順序で実行される必要はない。
【図面の簡単な説明】
【００３５】
本発明は、添付の図面を参照して、例として記載される。
【００３６】
【図１】は、本発明が実施され得る５Ｇコアネットワークを示す。
【００３７】
【図２】は、一実施形態にしたがった、ネットワーク分析情報を要求する第２のＮＦエンティティにネットワーク分析情報を提供する第１の応答側のコアＮＦエンティティによって実行される方法を示すシグナリング図を示す。
【００３８】
【図３】は、別の実施形態にしたがった、ネットワーク分析情報を要求する第２のＮＦエンティティにネットワーク分析情報を提供する第１の応答側のコアＮＦエンティティによって実行される方法を示すシグナリング図を示す。
【００３９】
【図４】は、さらに別の実施形態にしたがった、ネットワーク分析情報を要求する第２のＮＦエンティティにネットワーク分析情報を提供する第１の応答側のコアＮＦエンティティによって実行される方法を示すシグナリング図を示す。
【００４０】
【図５】は、さらなる実施形態にしたがった、ネットワーク分析情報を要求する第２のＮＦエンティティにネットワーク分析情報を提供する第１の応答側のコアＮＦエンティティによって実行される方法を示すシグナリング図を示す。
【００４１】
【図６】は、さらなる実施形態にしたがった、ネットワーク分析情報を要求する第２のＮＦエンティティにネットワーク分析情報を提供する第１の応答側のコアＮＦエンティティによって実行される方法を示すシグナリング図を示す。
【００４２】
【図７】および
【図７ａ】は、一実施形態にしたがった、プロキシデバイスを介して、ネットワーク分析情報を要求する第２のＮＦエンティティにネットワーク分析情報を提供する、第１の応答側のコアＮＦエンティティによって実行される方法を示すシグナリング図を示す。
【００４３】
【図８】は、一実施形態にしたがった第１のコアＮＦエンティティを示す。
【００４４】
【図９】は、一実施形態にしたがった第２のＮＦエンティティを示す。
【００４５】
【図１０】は、別の実施形態にしたがったプロキシデバイスを示す。
【発明を実施するための形態】
【００４６】
以下、本発明の特定の実施形態を示す添付図面を参照して、本発明をより完全に説明する。しかしながら、本発明は、多くの異なる形態で具現化されてもよく、本明細書に記載された実施形態に限定されるものとして解釈されるべきではなく、むしろ、これらの実施形態は、本開示が十分かつ完全であり、本発明の範囲を当業者に完全に伝えるように、例として提供される。説明全体を通して、同様の番号は同様の要素を指す。
【００４７】
図１は、５Ｇコアネットワークを図示し、そこに含まれるＮＦは、以前に説明された通りである。
【００４８】
ここで、ＮＷＤＡＦ１３は、ＮＦからの要求またはサブスクリプションに応じてネットワーク分析情報を提供する責任を負う。たとえば、ＮＦは特定のネットワークスライスの負荷レベルに関する特定の分析情報を要求する場合がある。
【００４９】
一例では、ＮＷＤＡＦ１３によって提供される負荷レベル情報は、特定のスライスのトラフィック負荷が、例えば月曜日の０９：００と１０：００との間など、ある曜日の特定の時間ウィンドウで比較的高いことを示してもよく、その場合、負荷レベル情報を受信するＮＦ、例えばＰＣＦ１４またはＮＳＳＦ１５は、ＰＣＦ／ＮＳＳＦによってサービスされるＵＥのための別のネットワークスライスを選択してもよい。
【００５０】
ＰＣＦ１４またはＮＳＳＦ１５は、定期的に、または特定の負荷レベルしきい値を超えた場合に、負荷レベル情報を受信するように加入するか、または負荷レベル情報を即座に受信するように要求をアクティブにサブミットすることができる。
【００５１】
したがって、３ＧＰＰ規格で定義されているように、ＮＷＤＡＦ１３（サービスプロバイダ）は、加入／通知動作または要求／応答動作（サービスコンシューマ）のいずれかによって分析見識（例えば、負荷レベル情報）を提供する。
【００５２】
どの情報がネットワーク分析情報を構成することができるかに関するさらなる例は、（ａ）特定の位置での、または特定の時間間隔／タイプの日またはそれらの組合せでの、アプリケーション使用および容量パターン、および（ｂ）例えば、将来の負荷を予測するための（ユーザの動きを測定することによる）最も使用されるルートのうちの１つまたは複数である。
【００５３】
さらなる例は、次のようなユーザごとの（個別の）情報である：（ｃ）特定の位置および／または時間における特定のユーザのために最も使用されるアプリケーション、（ｄ）例えばページングを改善するなど、ユーザの次の位置を予測するための特定のユーザのルート（位置および時間）、（ｅ）予防的ダウンロードのための特定のユーザのデータ使用、および（ｆ）彼／彼女にとって最も適した登録エリアを特定するための、特定のユーザにより最も訪問された位置。
【００５４】
加入／通知の場合、ＮＷＤＡＦ１３は、サブスクライブしたコンシューマ（受信側）にインサイト（見識）を提供する。
−（ａ）定期的に（加入要求においてコンシューマによって提供される期間値）、または、
−（ｂ）見識値がある閾値を超えて変化した場合（閾値はコンシューマによっても提供される）。
【００５５】
要求／応答のケースでは、ＮＷＤＡＦ１３が見識を提供する。
−（ｃ）認証されたコンシューマのいずれかから要求を受信するたびに。
【００５６】
現在の解決策の主な問題は、オプション（ａ）および（ｃ）で生成される潜在的に不必要なシグナリング負荷である。いくつかの見識は、時間がたっても著しく変化しないことがあり、静的でさえあることもある。この場合、同じ見識値（または非常に類似したもの）が繰り返し提供され、ネットワークにおける冗長なシグナリングをもたらす。
【００５７】
図２は、ＮＷＤＡＦ１３の形式で説明全体を通して例示される、一実施形成によるネットワーク分析情報を要求する第２のＮＦエンティティにネットワーク分析情報を提供する、第１の応答側のコアＮＦエンティティによって実行される方法を示すシグナリング図を示し、この場合、ポリシー決定のためにＰＣＦ１４によって説明全体を通して例示される。第２の要求側のＮＦエンティティは、必ずしもコアネットワーク内に位置する必要はなく、代替的に、ＡＦ１６などの非コアネットワークエンティティによって実施することができることに留意されたい。
【００５８】
最初のステップ１０１で、ＰＣＦ１４は、ネットワーク分析情報を取得する要求をＮＷＤＡＦ１３に送信する。一例として、ＰＣＦ１４は、ＮＷＤＡＦ１３によって処理される１つ以上のネットワークスライスインスタンスに対して、特定の曜日の間のトラフィック負荷のインジケーションを要求する。したがって、要求は、要求された特定のネットワーク分析情報を指定する分析ＩＤと、実施形態ではオプションとして、要求が行われる１つ以上のスライスインスタンスを識別するスライスインスタンスＩＤとを含む。
【００５９】
ＮＷＤＡＦ１３は、ＰＣＦ１４からの要求を受信すると、要求されたネットワーク分析情報を取得し（例えば、ローカルストレージから）、要求されたネットワーク分析情報がどれくらいの長さにわたり有効であるかを示す有効時間を、ステップＳ１０２で要求されたネットワーク分析情報に関連付ける。有効時間は、複数の図面を通して「ＥＴ」と示される。
【００６０】
その後、ステップＳ１０３において、ＮＷＤＡＦ１３は、要求されたネットワーク分析情報及び関連する有効時間をＰＣＦ１４に送信する。
【００６１】
有利なことに、要求されたネットワーク分析情報に関連付けられた有効時間を用いて、ＰＣＦ１４は、いくつかの結論に達することができる。例えば、ＰＣＦ１４は、（１）要求／応答動作の場合に有効時間が満了するまで情報を再び要求する必要がないと結論付けることができ、または（２）加入／通知動作の場合に要求されたネットワーク分析情報を受信することを期待する周期を更新することができる。（１）において、本発明は、ネットワーク分析情報を要求するＮＷＤＡＦ１３とＮＦとの間の不必要なシグナリングを低減することを可能にする。（２）において、要求された情報をサブスクライブすることをＮＦが希望している周期よりも有効時間が長い場合、不必要なシグナリングは回避され、一方、要求された情報をサブスクライブすることをＮＦが希望している周期よりも有効時間が短い場合、最新の情報がＮＦで受信される。
【００６２】
一実施形態では、ステップＳ１０１でＰＣＦ１４から送信される要求は、ネットワーク分析情報の要求が行われる単一のユーザ装置またはユーザ装置のグループを示すユーザＩＤまたはユーザグループＩＤをさらに含む。有利なことには、これは、ユーザまたはユーザグループごとにＮＷＤＡＦ分析情報をハンドリングすることを提供する。その範囲で、ＮＦは特定のユーザデバイスまたはユーザデバイスのグループの分析情報を取得できる。
【００６３】
図３は、一実施形態にしたがった、要求されたネットワーク分析情報をＰＣＦ１４に提供するコアネットワークにおいて、ＮＷＤＡＦ１３によって実行される方法を示すシグナリング図である。
【００６４】
図３は、ＰＣＦ１４が要求／応答動作を実行するシナリオを示す。
【００６５】
最初のステップＳ２０１において、ＰＣＦ１４は、ネットワーク分析情報を取得する要求を、Ｎｎｗｄａｆ＿ＡｎａｌｙｔｉｃｓＩｎｆｏ＿Ｒｅｑｕｅｓｔメッセージの形式でＮＷＤＡＦ１３に送信する。ＮＷＤＡＦ１３には、要求されたネットワーク分析情報を識別する分析ＩＤ、および任意でスライスインスタンスＩＤおよび／またはユーザ／ユーザグループＩＤが含まれる。
【００６６】
これに応答して、ＮＷＤＡＦ１３は、ステップＳ２０２において、要求されたネットワーク分析情報の有効時間を決定し、ステップＳ２０３において、分析値および有効時間を含む応答メッセージをＰＣＦ１４に送信し、ここで、「分析値」は、実際に要求されたペイロードネットワーク分析情報を示す。
【００６７】
ステップＳ２０３で応答メッセージを受信すると、ＰＣＦ１４は、ステップＳ２０４で情報に関連するネットワーク分析情報および有効時間、ならびに任意で任意のスライスインスタンスＩＤおよび／またはユーザ／ユーザグループＩＤを格納する。
図３には示されていないが、ＰＣＦ１４は、ステップＳ２０４で情報を記憶する前または後のいずれかに情報が受信されたという肯定応答（アクノレッジ）をＮＷＤＡＦ１３に送信できることに留意されたい。
【００６８】
さて、実施形態では、要求されたネットワーク分析情報の受信から経過した時間が、記憶された有効時間を超えない限り、ＰＣＦ１４は、ユーザ／ユーザグループＩＤによって識別される、ユーザごとに記憶されたネットワーク分析情報を参照する。
なお、ＮＷＤＡＦ１３は、ユーザ／ユーザグループＩＤによって識別される特定のデバイス／デバイスグループを既に知っている場合があり、ユーザ／ユーザグループＩＤを送信する必要がない場合がある。さらに、ＰＣＦ１４が、受信したネットワーク情報がどのデバイスに関連するかを既に認識している場合、ユーザ／ユーザグループＩＤを送信する必要がない場合がある。要求されたネットワーク分析情報の受信から実際に経過した時間が、記憶された有効時間を超えたとき、ＰＣＦ１４は、ステップＳ２０１のネットワーク分析情報を要求するプロシージャを繰り返すことができ、この場合、ＮＷＤＡＦ１３は、ステップＳ２０２において、再び有効時間を決定し、要求されたネットワーク分析情報を有効時間とともにＰＣＦ１４へ送信する。有効時間およびそれが関連付けられるネットワーク分析情報は、変更されている可能性があることに留意されたい。
【００６９】
図４は、一実施形態にしたがった、要求されたネットワーク分析情報をＰＣＦ１４に提供するコアネットワークにおいて、ＮＷＤＡＦ１３によって実行される方法を示すシグナリング図である。
【００７０】
図４は、ＰＣＦ１４が加入／通知動作を実行するシナリオを示す。
【００７１】
最初のステップＳ３０１において、ＰＣＦ１４は、ネットワーク分析情報を取得するための要求をＮＷＤＡＦ１３へのＮｗｄａｆ＿ＥｖｅｎｔｓＳｕｂｓｃｒｉｐｔｉｏｎ＿Ｓｕｂｓｃｒｉｂｅメッセージの形式でＮＷＤＡＦ１３に送信し、これは、要求されたネットワーク分析情報を識別する分析ＩＤと、オプションでスライスインスタンスＩＤおよび／またはユーザ／ユーザグループＩＤと、ＰＣＦ１４が、要求されたネットワーク分析情報をある周期で受信することを望む、当該周期を示すインジケーション（「Ｐｅｒｉｏｄ（周期）」）と、を含む。
【００７２】
要求を受信すると、ＮＷＤＡＦ１３は、ステップＳ３０２において、（分析ＩＤによって識別される）ネットワーク分析情報の最適な通知周期を設定するために、要求されたネットワーク分析情報の有効時間を決定する。
【００７３】
最初の例では、ＰＣＦ１４がパラメータ期間を用いて、要求されたネットワーク分析情報を１分ごとに受信することを望むことを示すと、仮定される。Ｐｅｒｉｏｄ＝１分に設定されているが、その一方でＮＷＤＡＦ１３は、要求されたネットワーク分析情報が２分間有効であると結論付け、したがって、ＮＷＤＡＦ１３は、最適な通知周期が２分間であると判定する。その結果、要求されたネットワーク分析情報は有効時間が経過するまでにはまだ変更されていない可能性が高いため、ＮＷＤＡＦ１３は要求されたネットワーク分析情報を１分ごとではなく２分ごとに送信する。有利なことには、不必要なシグナリングが回避される。
【００７４】
２番目の例では、ＰＣＦ１４がパラメータＰｅｉｒｏｄで、要求されたネットワーク分析情報を２分ごとに受信することを望むことを示すと仮定する。つまり、Ｐｅｉｒｏｄ＝２分に設定されているが、ＮＷＤＡＦ１３は、要求されたネットワーク分析情報が１分間有効であると判定し、したがって、ＮＷＤＡＦ１３は、最適な通知周期が１分であると決定する。その結果、要求されたネットワーク分析情報は有効時間が経過した後にはすでに変更されている可能性が高いため、ＮＷＤＡＦ１３は要求されたネットワーク分析情報を２分ごとではなく１分ごとに送信する。有利なことには、ＰＣＦ１４は、最新のネットワーク分析情報を提供される。提案されたより短い期間をＰＣＦ１４が受け入れることを示すＡＣＫメッセージが、ＰＣＦ１４からＮＷＤＡＦに送信されてもよい。代替として、提案されたより短い期間をＰＣＦ１４が受け入れないことを示すＮＡＣＫメッセージが、ＰＣＦ１４からＮＷＤＡＦに送信されてもよい。
【００７５】
ステップＳ３０３において、ＮＷＤＡＦ１３は、周期的に要求されたネットワーク分析情報を、Ｎｎｗｄａｆ＿ＥｖｅｎｔｓＳｕｂｓｃｒｉｐｔｉｏｎ＿Ｎｏｔｉｆｙメッセージの形式で、スライスインスタンスＩＤ、分析ＩＤ、分析値、有効時間を含むＰＣＦ１４に送信する。ここで、「分析値」は、実際に要求されたペイロード情報を示す。
【００７６】
したがって、ＮＷＤＡＦ１３は、要求されたネットワーク分析情報に関連する、決定された有効時間によって規定された周期で、要求されたネットワーク分析情報をＰＣＦ１４に送信する。すなわち、上記の最初の例の場合、ＮＷＤＡＦ１３は、ＰＣＦ１４によって最初に要求された１分の周期ではなく、要求されたネットワーク分析情報を２分ごとにＰＣＦ１４に送信する。理解可能であることだが、これは、分析情報の次の更新までの時間が通知の周期よりも短い場合、ＮＷＤＡＦ１３は、ステップＳ２０２で有効時間を決定した後も、現在の１分間が経過するまでは、待機することを暗示し得る。
【００７７】
ステップＳ３０３で通知メッセージを受信した後、ＰＣＦ１４は、ステップＳ３０３ａで、アクノレッジメントメッセージＡｃｋをＮＷＤＡＦ１３に送信してもよい。これは、周期を規定する受信された有効時間が、要求された（または以前に記憶された）周期と異なるシナリオ、すなわち、周期に何らかの変化が生じるシナリオにおいて、特に好ましいことがある。
【００７８】
さらに、ＰＣＦ１４は、ステップＳ３０４において、ネットワーク分析情報と、その情報に関連する有効時間と、オプションで任意のスライスインスタンスＩＤと、および／または、ユーザ／ユーザグループＩＤと、を格納する。
【００７９】
図５は、さらなる実施形態にしたがった、要求されたネットワーク分析情報をＰＣＦ１４に提供するコアネットワークにおいて、ＮＷＤＡＦ１３によって実行される方法を示すシグナリング図を示す。
【００８０】
図５は、ＰＣＦ１４が加入／通知動作を実行するシナリオを示す。
【００８１】
図４を参照して説明した実施形態において、最初のステップＳ３０１において、ＰＣＦ１４は、ネットワーク分析情報を取得する要求をＮＷＤＡＦ１３へのＮｗｄａｆ＿ＥｖｅｎｔｓＳｕｂｓｃｒｉｐｔｉｏｎ＿Ｓｕｂｓｃｒｉｂｅメッセージの形式でＮＷＤＡＦ１３に送信し、これは、要求されたネットワーク分析情報を識別する分析ＩＤと、オプションでスライスインスタンスＩＤと、および／または、ユーザ／ユーザグループＩＤと、ＰＣＦ１４が要求されたネットワーク分析情報を受信することを望む周期のインジケーション（「周期」）と、を含む。
【００８２】
要求を受信すると、ＮＷＤＡＦ１３は、ステップＳ３０２において、要求されたネットワーク分析情報のための最適な通知周期を設定するために、要求されたネットワーク分析情報のための有効時間を決定する。
【００８３】
ここでも、パラメータＰｅｒｉｏｄを用いて、要求されたネットワーク分析情報を１分ごとに受信することをＰＣＦ１４が示すが、要求されたネットワーク分析情報が２分間有効であるとＮＷＤＡＦ１３が結論付ける例が想定されており、ＮＷＤＡＦ１３は、最適な通知周期が２分であることを決定する。その結果、ＮＷＤＡＦ１３は、有効時間が経過するまでに、要求されたネットワーク分析情報が変化していない可能性が高いため、１分ごとではなく２分ごとに要求されたネットワーク分析情報を送信することを提案する。
有利なことには、不必要なシグナリングが回避される。
【００８４】
オプションで、ＮＷＤＡＦ１３は、ステップＳ３０２ａで要求を肯定応答（Ａｃｋ）することができ、さらにオプションでＡｃｋとともに周期推奨を含めることができる。
上記の例では、周期推奨  ＝  ２  分である。有利なことには、これは、ＰＣＦ１４に推奨を拒否する可能性を与える。
【００８５】
周期推奨がＡｃｋに含まれる場合、ＰＣＦ１４は更新要求、すなわちＮｎｗｄａｆ＿ＥｖｅｎｔｓＳｕｂｓｃｒｉｐｔｉｏｎ＿Ｕｐｄａｔｅメッセージを、Ｓ３０２ｂでＮＷＤＡＦ１３に送信して、通知周期を更新することができる。この特定の実施形態における要求は、以下を含む：スライスインスタンスＩＤ、分析ＩＤ、ユーザ／ユーザグループＩＤ、新しい周期（すなわち、新しい周期＝２分）。ＮＷＤＡＦ１３は、ステップＳ３０２ｃで更新要求をアクノレッジしてもよい。
【００８６】
さらに、ＮＷＤＡＦ１３は、ステップＳ３０２ｄにおいて、Ｎｎｗｄａｆ＿ＥｖｅｎｔｓＳｕｂｓｃｒｉｐｔｉｏｎ＿Ｐｅｒｉｏｄ＿ＵｐｄａｔｅメッセージをＰＣＦ１４に送信することができる。これには、スライスインスタンスＩＤ、分析ＩＤ、ユーザ／ユーザグループＩＤ、新しい周期が含まれ、この周期更新について、ＰＣＦ１４はステップＳ３０２ｅでアクノレッジ（肯定応答）することができる。肯定応答された場合、周期は新しい周期（２分）に更新される。肯定応答されない場合、以前の周期である１分が維持される。
【００８７】
先に説明されたように、ＮＷＤＡＦ１３は、現在の１分間が経過するまで待ち、その後、周期的に要求されたネットワーク分析情報を、スライスインスタンスＩＤ、分析ＩＤ、分析値、有効時間を含むＮｎｗｄａｆ＿ＥｖｅｎｔｓＳｕｂｓｃｒｉｐｔｉｏｎ＿Ｎｏｔｉｆｙメッセージの形式でＰＣＦ１４に送信することができ、ここで、「分析値」は、ステップＳ３０３において実際に要求されたペイロード情報を示す。
【００８８】
ステップＳ３０３で通知メッセージを受信した後、ＰＣＦ１４は、ステップＳ３０３ａで、アクノレッジメントメッセージＡｃｋをＮＷＤＡＦ１３に送信してもよい。
【００８９】
さらに、ＰＣＦ１４は、ステップＳ３０４において、ネットワーク分析情報と、その情報に関連する有効時間と、オプションで任意のスライスインスタンスＩＤおよび／またはユーザ／ユーザグループＩＤとを記憶する。
【００９０】
図６は、さらに別の実施形態にしたがった、要求された分析情報をＰＣＦ１４に提供するコアネットワークにおいて、ＮＷＤＡＦ１３によって実行される方法を示すシグナリング図を示す。
【００９１】
図６は、ＰＣＦ１４が加入／通知動作を実行するものの、図５を参照して説明されたものとプロセスが幾分異なるシナリオを示しているが、それにもかかわらず、ステップＳ３０３ａまでは、実施形態は同じであり、ステップＳ３０１〜Ｓ３０３ａは、再び説明されない。
【００９２】
この実施形態では、受信されたネットワーク分析情報は、ステップＳ３０３ａの肯定応答に続いて格納されない（しかし、後で格納される）。なぜなら、ステップＳ３０３で受信されたネットワーク分析情報に関連付けられた受信された有効時間が、ＮＷＤＡＦ１３がステップＳ３０２ｃを実行した後（またはステップＳ３０２ｅの後）に当該有効時間が新しい値を有するべきであると判定した結果として、ステップＳ３０２ｂ〜Ｓ３０２ｅを通して合意された新しい周期と異なることを、ステップＳ３０３ｂでＰＣＦ１４が検出するためである。
【００９３】
ステップＳ３０３ｃで、ＰＣＦ１４は、ステップ３０３ｂでＰＣＦ１４によって検出された変更された有効時間に関するハンドシェイク手順を実行するために、Ｎｎｗｄａｆ＿ＥｖｅｎｔｓＳｕｂｓｃｒｉｐｔｉｏｎ＿ＵｐｄａｔｅメッセージをＮＷＤＡＦ１３に送信する。このメッセージには、スライスインスタンスＩＤ、分析ＩＤ、ユーザ／ユーザグループＩＤ、新しい周期（変更された有効時間に基づく）が含まれる。
【００９４】
ＮＷＤＡＦ１３は、ステップＳ３０３ｄにおける要求を承認し、ＰＣＦは、最終的に、ネットワーク分析情報およびその情報に関連する新しい有効時間、ならびにステップＳ３０４における任意の分析ＩＤ、スライスインスタンスＩＤおよび／またはユーザ／ユーザグループＩＤを記憶することができる。
【００９５】
図７は、別の実施形態にしたがった、プロキシ１９を介して、要求されたネットワーク分析情報をＰＣＦ１４に提供するコアネットワークにおいて、ＮＷＤＡＦ１３によって実行される方法を示すシグナリング図を示す。なお、プロキシ１９は、ＰＣＦ１４の内部であっても、ＮＷＤＡＦ１３の内部に配置されていてもよい。
【００９６】
図７は、ＰＣＦ１４がプロキシ１９を介して要求／応答動作を実行するシナリオを示す。
【００９７】
第１ステップＳ４０１ａで、ＰＣＦ１４は、Ｎｎｗｄａｆ＿ＡｎａｌｙｔｉｃｓＩｎｆｏ＿Ｒｅｑｕｅｓｔメッセージの形式でＮＷＤＡＦ１３に、要求されたネットワーク分析情報を識別する分析ＩＤと、オプションでスライスインスタンスＩＤおよび／またはユーザ／ユーザグループＩＤを含む、ネットワーク分析情報を入手するための要求を送信する。
【００９８】
しかし、本実施形態では、当該要求は、ステップＳ４０１ｂで分析ＩＤ、スライスインスタンスＩＤ、ユーザ／ユーザグループＩＤを格納するプロキシ１９に送信され、ステップＳ４０１ｃで当該要求であるＮｎｗｄａｆ＿ＡｎａｌｙｔｉｃｓＩｎｆｏ＿ＲｅｑｕｅｓｔをＮＷＤＡＦ１３に転送する。
【００９９】
これに応答して、ＮＷＤＡＦ１３は、ステップＳ４０２で、要求されたネットワーク分析情報の有効時間を決定し、ステップＳ４０３ａにおいて、分析値および有効時間を含む応答メッセージをＰＣＦ１４に送信し、ここで、「分析値」は、実際に要求されたペイロードネットワーク分析情報を示す。
【０１００】
繰り返しになるが、これは、要求されたネットワーク分析情報と有効時間をステップＳ４０３ｂで記憶するプロキシ１９を通して受け渡され、ステップＳ４０４で記憶されることになる、要求されたネットワーク分析情報をＰＣＦ１４に転送する前に、以前に記憶されていた分析ＩＤ、スライスインスタンスＩＤおよびユーザ／ユーザグループＩＤに対して、ステップＳ４０３ｃで、これをマッピングする。
【０１０１】
ここで、別の第３のＮＦ、例えばＮＳＳＦ１５が、ＰＣＦ１４およびプロキシ１９に配信されたばかりのものと同じネットワーク分析情報を取得することを望むと仮定すると、ＮＳＳＦ１５は、次いで、ステップＳ４０５で、分析ＩＤ、スライスインスタンスＩＤおよびユーザ／ユーザグループＩＤを含む、プルプロキシへのＮｎｗｄａｆ＿ＡｎａｌｙｔｉｃｓＩｎｆｏ＿Ｒｅｑｕｅｓｔメッセージの形式で、プロキシ１９に要求を送信する。
【０１０２】
有効時間がまだ経過していない場合、プロキシ１９は、ステップＳ４０６で、記憶されている要求されたネットワーク分析情報をＮＳＳＦ１５に返す。
【０１０３】
しかしながら、後の時点で、ＮＳＳＦ１５は、分析ＩＤ、スライスインスタンスＩＤ、およびユーザ／ユーザグループＩＤを含む、別の要求を、ステップＳ４０８において、プロキシ１９に送信する。
【０１０４】
この時点で、有効時間が経過し、プロキシ１９は、ステップＳ４０９で、要求されたネットワーク分析情報およびそれに関連する任意の有効時間をＮＳＳＦ１４へ最終的に送信できるよう、プロキシ１９およびＮＷＤＡＦ１３は、ＮＳＳＦ１５の代わりにステップＳ４０１ｃ〜Ｓ４０３ｂを繰り返さなければならない。
【０１０５】
有利なことには、プロキシ１９は、要求されたネットワーク分析情報を記憶するためのキャッシュメモリとして機能する。このようにして、ＮＦは、プロキシ１９が有効時間を計時している間にプロキシ１９に要求を行うため、サービスコンシューマ実装は影響を受けず、ＮＷＤＡＦにおけるシグナリングの最適化が維持される。失敗。
【０１０６】
図８は、一実施形態にしたがった第１のコアＮＦエンティティ１３を示す。実施形態にしたがった、要求されたネットワーク情報を第２のＮＦエンティティに提供する第１のコアＮＦエンティティ１３によって実行される方法のステップは、実際には、ランダムアクセスメモリ（ＲＡＭ）などのマイクロプロセッサに関連付けられた適切な揮発性記憶媒体１１７、またはフラッシュメモリもしくはハードディスクドライブなどの不揮発性記憶媒体にダウンロードされたコンピュータプログラム１１６を実行するように構成された１つまたは複数のマイクロプロセッサの形態で実装されるプロセッシングユニット（処理部）１１５によって実行される。プロセッシングユニット１１５は、コンピュータ実行可能な命令を含む適切なコンピュータプログラム１１６が記憶媒体１１７にダウンロードされ、プロセッシングユニット１１５によって実行されるとき、第１のコアＮＦエンティティ１３に、実施形態にしたがった方法を実行させるように構成される。記憶媒体１１７は、コンピュータ・プログラム１１６を含むコンピュータプログラムプロダクトであってもよい。あるいは、ディジタル多用途ディスク（ＤＶＤ）またはメモリスティックのような適切なコンピュータプログラムプロダクトによって、コンピュータプログラム１１６を記憶媒体１１７に転送してもよい。さらなる代替案として、コンピュータプログラム１１６は、ネットワークを介して記憶媒体１１７にダウンロードされてもよい。プロセッシングユニット１１５は、代替的に、デジタルシグナルプロセッサ（ＤＳＰ）、特定用途向け集積回路（ＡＳＩＣ）、フィールドプログラマブルゲートアレイ（ＦＰＧＡ）、複雑なプログラマブル論理デバイス（ＣＰＬＤ）等の形態で具現化することができる。
【０１０７】
第１のコアＮＦエンティティ１３は、第２のＮＦエンティティから発信されたネットワーク情報を取得するための要求を受信するように適合した受信手段１４０と、要求されたネットワーク情報がどれくらいの長さにわたり有効であるかを規定する有効時間を決定するように適合した決定手段１４１と、要求されたネットワーク情報および有効時間を第２のＮＦエンティティに向けて送信するように適合した送信手段１４２とを有する。
【０１０８】
手段１４０〜１４２は、情報を受信して提供するための通信インターフェースと、データを記憶するためのローカル記憶装置とを有することができ、さらに、ＲＡＭ、フラッシュメモリ、ハードディスクドライブなどのマイクロプロセッサに関連する適切な記憶媒体にダウンロードされたコンピュータプログラムを実行するように配置された１つ以上のマイクロプロセッサの形式で実装されるプロセッサによって（先に説明されたものと類似して）実施することができる。
【０１０９】
図９は、一実施形態にしたがった第２のＮＦエンティティ１４を示す。実施形態にしたがった第１のコアＮＦエンティティのネットワーク情報を取得する第２のＮＦエンティティによって実行される方法のステップは、実際には、ＲＡＭなどのマイクロプロセッサに関連付けられた適切な揮発性記憶媒体１２７、またはフラッシュメモリもしくはハードディスクドライブなどの不揮発性記憶媒体にダウンロードされたコンピュータプログラム１２６を実行するように構成された１つまたは複数のマイクロプロセッサの形態で実装されるプロセッシングユニット１２５によって実行される。プロセッシングユニット１２５は、コンピュータ実行可能な命令を含む適切なコンピュータプログラム１２６が記憶媒体１２７にダウンロードされ、プロセッシングユニット１２５によって実行されると、第２のＮＦエンティティ１４に実施形態にしたがった方法を実行させるように構成される。記憶媒体１２７は、コンピュータプログラム１２６を含むコンピュータプログラムプロダクトであってもよい。あるいは、コンピュータプログラム１２６は、ＤＶＤまたはメモリスティックなどの適切なコンピュータプログラムプロダクトによって記憶媒体１２７に転送されてもよい。さらなる代替案として、コンピュータプログラム１２６は、ネットワークを介して記憶媒体１２７にダウンロードされてもよい。あるいは、プロセッシングユニット１２５は、ＤＳＰ、ＡＳＩＣ、ＦＰＧＡ、ＣＰＬＤなどの形態で実装されてもよい。
【０１１０】
第２のＮＦエンティティ１４は、第１のコアＮＦエンティティに向けて、ネットワーク情報を取得するための要求を送信するように適合した送信手段１５０と、要求されたネットワーク情報と、要求されたネットワーク情報がどれくらいの長さにわたり有効であるかを規定する、第１のコアＮＦエンティティによって決定された有効時間とを受信するように適合した受信手段１５１とを有する。
【０１１１】
手段１５０および１５１は、情報を受信し提供するための通信インターフェースと、データを記憶するためのさらなるローカル記憶装置とを有することができ、ＲＡＭ、フラッシュメモリまたはハードディスクドライブなど、マイクロプロセッサに関連する適切な記憶媒体にダウンロードされたコンピュータプログラムを実行するように配置された１つまたは複数のマイクロプロセッサの形式で実装されるプロセッサによって（先に説明したものと類似して）実施することができる。
【０１１２】
図１０は、一実施形態にしたがったプロキシデバイス１９を示す。実施形態にしたがった、要求された第１のコアＮＦエンティティのネットワーク情報を第２のＮＦエンティティに提供するプロキシデバイス１９によって実行される方法のステップは、実際には、ＲＡＭなどのマイクロプロセッサに関連付けられた適切な揮発性記憶媒体１３７、またはフラッシュメモリもしくはハードディスクドライブなどの不揮発性記憶媒体にダウンロードされたコンピュータプログラム１３６を実行するように構成された１つまたは複数のマイクロプロセッサの形態で実装されるプロセッシングユニット１３５によって実行される。プロセッシングユニット１３５は、コンピュータ実行可能な命令を含む適切なコンピュータプログラム１３６が記憶媒体１３７にダウンロードされ、プロセッシングユニット１３５によって実行されると、プロキシデバイス１９に実施形態にしたがった方法を実行させるように構成される。記憶媒体１３７は、コンピュータプログラム１３６を含むコンピュータプログラムプロダクトであってもよい。あるいは、ディジタル多用途ディスク（ＤＶＤ）またはメモリスティックのような適切なコンピュータプログラムプロダクトによって、コンピュータプログラム１１６を記憶媒体１３７に転送してもよい。さらなる代替案として、コンピュータプログラム１３６は、ネットワークを介して記憶媒体１３７にダウンロードされてもよい。プロセッシングユニット１３５は、代替的に、デジタルシグナルプロセッサ（ＤＳＰ）、特定用途向け集積回路（ＡＳＩＣ）、フィールドプログラマブルゲートアレイ（ＦＰＧＡ）、複雑なプログラマブル論理デバイス（ＣＰＬＤ）等の形態で具現化することができる。
【０１１３】
プロキシデバイス１９は、第２のＮＦエンティティから、ネットワーク情報を取得するための要求を受信するように適合した受信手段１６０と、第１のコアＮＦエンティティに、ネットワーク情報を取得するための要求を送信するように適合した送信手段１６１と、第１のコアＮＦエンティティから、要求されたネットワーク情報と、要求されたネットワーク情報がどれほど長く有効であるかを規定する第１のコアＮＦエンティティによって決定された有効時間とを受信するように適合した受信手段１６２と、要求されたネットワーク情報を第２のＮＦエンティティに送信するように適合した送信手段１６３とを有する。
【０１１４】
手段１６０〜１６３は、情報を受信して提供するための通信インターフェースと、データを記憶するためのローカル記憶装置とを有することができ、さらに、ＲＡＭ、フラッシュメモリ、ハードディスクドライブなどのマイクロプロセッサに関連する適切な記憶媒体にダウンロードされたコンピュータプログラムを実行するように配置された１つ以上のマイクロプロセッサの形式で実装されるプロセッサによって（先に説明たものと類似して）実施することができる。
【０１１５】
本発明は、主に、いくつかの実施形態を参照して上述された。しかし、当業者には容易に理解されるように、添付の特許請求の範囲によって定義されるように、上記で開示されたもの以外の他の実施形態も、本発明の範囲内で等しく実施可能である。
【図１】
2021520745.tif 000003
【図２】
2021520745.tif 000004
【図３】
2021520745.tif 000005
【図４】
2021520745.tif 000006
【図５】
2021520745.tif 000007
【図６】
2021520745.tif 000008
【図７】
2021520745.tif 000009
【図７ａ】
2021520745.tif 000010
【図８】
2021520745.tif 000011
【図９】
2021520745.tif 000012
【図１０】
2021520745.tif 000013
【手続補正書】
【提出日】令和2年3月11日(2020.3.11)
【手続補正１】
【補正対象書類名】特許請求の範囲
【補正対象項目名】全文
【補正方法】変更
【補正の内容】
【特許請求の範囲】
【請求項１】
要求されたネットワーク情報を第２のＮＦエンティティ（１４、１５）に提供する第１のコアネットワーク機能（ＮＦ）エンティティ（１３）によって実行される方法であって、
前記ネットワーク情報を取得するための要求であって、前記第２のＮＦエンティティ（１４、１５）から発信され、前記要求されたネットワーク情報が取得される周期のインジケーションを含む要求を受信すること（Ｓ１０１、Ｓ２０１、Ｓ３０１）と、
前記要求されたネットワーク情報がどれくらいの長さにわたり有効であるかを規定する有効時間を決定すること（Ｓ１０２、Ｓ２０２、Ｓ３０２）と、
前記要求されたネットワーク情報および前記有効時間を前記第２のＮＦエンティティ（１４、１５）に向けて送信すること（Ｓ１０３、Ｓ２０３、Ｓ３０３）と、を有する方法。
【請求項２】
請求項１に記載の方法であって、前記要求は、前記要求が行われるネットワークスライスインスタンスを識別する少なくとも１つの識別子と、前記要求が行われるユーザデバイスまたはユーザデバイスのグループを識別する少なくとも１つの識別子と、のうちの少なくとも１つをさらに含む、方法。
【請求項３】
請求項１または２に記載の方法であって、前記要求されたネットワーク情報と前記有効時間を送信すること（Ｓ３０３）は、
前記要求されたネットワーク情報を、前記決定された有効時間によって規定された周期で送信すること、を含む方法。
【請求項４】
請求項３記載の方法であって、さらに、
前記第２のＮＦエンティティ（１４、１５）に向けて、前記決定された有効時間によって規定される推奨周期を含むメッセージを送信すること（Ｓ３０２ａ）と、
前記決定された有効時間によって規定される前記推奨周期を使用すべきか否かを示す確認であって前記第２のＮＦエンティティ（１４、１５）から発信される確認を受信する（Ｓ３０２ｂ）ことと、を有する方法。
【請求項５】
請求項３または４に記載の方法であって、さらに、
前記要求されたネットワーク情報のための前記有効時間が変更されたと判定された場合、前記第２のＮＦエンティティ（１４、１５）に向けて更新メッセージを送信すること（Ｓ３０２ｄ）と、当該更新メッセージは、前記変更されたと判定された有効時間によって規定された推奨周期を含むものであり、
前記変更されたと判定された有効時間によって規定された前記推奨周期を使用すべきか否かを示す確認であって前記第２のＮＦエンティティ（１４、１５）から発信された確認を受信すること（Ｓ３０２ｅ）と、を有する方法。
【請求項６】
応答側のコアＮＦエンティティ（１３）のネットワーク情報を取得する、要求側のネットワーク機能（ＮＦ）エンティティ（１４、１５）によって実行される方法であって、
前記応答側のコアＮＦエンティティ（１３）に向けて、前記ネットワーク情報を取得するための要求であって、当該要求されたネットワーク情報が取得される周期のインジケーションを含む要求を送信すること（Ｓ１０１、Ｓ２０１、Ｓ３０１）と、
前記要求されたネットワーク情報と、前記要求されたネットワーク情報がどれくらいの長さにわたり有効であるかを規定する、前記応答側のコアＮＦエンティティ（１３）によって決定された有効時間を、受信すること（Ｓ１０３、Ｓ２０３、Ｓ３０３）と、を有する方法。
【請求項７】
請求項６に記載の方法であって、前記要求側のＮＦエンティティ（１４、１５）は、前記有効時間が経過していない限り、前記ネットワーク情報に対する別の要求を行うことを控える、方法。
【請求項８】
請求項６または７に記載の方法であって、さらに、
前記受信されたネットワーク情報と前記有効時間を記憶する（Ｓ２０４、Ｓ３０４、Ｓ４０４）こと、を有する方法。
【請求項９】
請求項６から８のいずれか１項に記載の方法であって、前記要求は、前記要求が行われるネットワークスライスインスタンスを識別する少なくとも１つの識別子と、前記要求が行われるユーザデバイスまたはユーザデバイスのグループを識別する少なくとも１つの識別子と、のうちの少なくとも１つをさらに含む、方法。
【請求項１０】
請求項６から９のいずれか１項に記載の方法であって、さらに、
前記応答側のコアＮＦエンティティ（１３）から、前記決定された有効時間によって規定された推奨周期を含むメッセージを受信すること（Ｓ３０２ａ）と、前記決定された有効時間によって規定された前記推奨周期を使用すべきか否かを示す確認を前記応答側のコアＮＦエンティティ（１３）に送信すること（Ｓ３０２ｂ）と、を有する方法。
【請求項１１】
請求項１０に記載の方法であって、さらに、
前記要求されたネットワーク情報のための前記有効時間が変更されたと判定された場合、前記応答側のコアＮＦエンティティ（１３）から更新メッセージを受信すること（Ｓ３０２ｄ）と、前記更新メッセージは、前記変更されたと判定された有効時間によって規定された推奨周期を含むものであり、
前記変更されたと判定された有効時間によって規定された前記推奨周期を使用すべきか否かを示す確認を前記応答側のコアＮＦエンティティ（１３）に送信すること（Ｓ３０２ｅ）と、を有する方法。
【請求項１２】
第１のコアネットワーク機能（ＮＦ）エンティティ（１３）であって、要求されたネットワーク情報を第２のＮＦエンティティ（１４、１５）に提供するように構成されており、前記第１のコアＮＦエンティティ（１３）は、プロセッシングユニット（１１５）とメモリ（１１７）とを備え、前記メモリは、前記プロセッシングユニットによって実行可能な命令（１１６）を含み、それによって前記第１のコアＮＦエンティティ（１３）は、
前記ネットワーク情報を取得するための要求であって、前記第２のＮＦエンティティ（１４、１５）から発信され、前記要求されたネットワーク情報が取得される周期のインジケーションを含む要求を受信し、
前記要求されたネットワーク情報がどれくらいの長さにわたり有効であるかを規定する有効時間を決定し、
前記要求されたネットワーク情報および前記有効時間を前記第２のＮＦエンティティ（１４、１５）に向けて送信する、ように動作する第１のコアＮＦエンティティ（１３）。
【請求項１３】
請求項１２に記載の第１のコアＮＦエンティティ（１３）であって、前記要求は、さらに、前記要求がなされるネットワークスライスインスタンスを識別する少なくとも１つの識別子と、前記要求がなされるユーザデバイスまたはユーザデバイスのグループを識別する少なくとも１つの識別子とのうちの少なくとも１つを有するように構成される、第１のコアＮＦエンティティ（１３）。
【請求項１４】
請求項１２または１３に記載の第１のコアＮＦエンティティ（１３）であって、さらに、前記要求されたネットワーク情報および前記有効時間を送信するときに、
前記要求されたネットワーク情報を、前記決定された有効時間によって規定される周期で送信する、ように動作する第１のコアＮＦエンティティ（１３）。
【請求項１５】
請求項１４に記載の第１のコアＮＦエンティティ（１３）であって、さらに、
前記第２のＮＦエンティティ（１４、１５）に向けて、前記決定された有効時間によって規定される推奨周期を含むメッセージを送信し、
前記決定された有効時間によって規定される前記推奨周期が使用されるべきか否かを示す、前記第２のＮＦエンティティ（１４、１５）から発信する確認を受信する、ように動作する第１のコアＮＦエンティティ（１３）。
【請求項１６】
請求項１４または１５に記載の第１のコアＮＦエンティティ（１３）であって、さらに、
前記要求されたネットワーク情報のための前記有効時間が変更されたと判定された場合に、前記第２のＮＦエンティティ（１４、１５）に向けて更新メッセージを送信し、前記更新メッセージは、前記変更されたと判定された有効時間によって規定された推奨周期を含み、
前記変更されたと判定された有効時間によって規定された前記推奨周期を使用すべきか否かを示す、前記第２のＮＦエンティティ（１４、１５）から発信された確認を、受信する、ように動作する第１のコアＮＦエンティティ（１３）。
【請求項１７】
応答側のコアＮＦエンティティ（１３）のネットワーク情報を取得するように構成された要求側のネットワーク機能（ＮＦ）エンティティ（１４、１５）であって、前記要求側のＮＦエンティティ（１４、１５）は、プロセッシングユニット（１２５）とメモリ（１２７）とを含み、前記メモリは、前記プロセッシングユニットによって実行可能な命令（１２６）を含み、それによって、前記要求側のＮＦエンティティ（１４、１５）は、
前記応答側のコアＮＦエンティティ（１３）に向けて前記ネットワーク情報を取得するための要求であって、前記要求されたネットワーク情報が取得される周期のインジケーションを含む要求を送信し、
前記要求されたネットワーク情報と、前記要求されたネットワーク情報がどれくらいの長さにわたり有効であるかを規定する、前記応答側のコアＮＦエンティティ（１３）によって決定された有効時間と、を受信する、ように動作する要求側のＮＦエンティティ（１４、１５）。
【請求項１８】
請求項１７に記載の要求側のＮＦエンティティ（１４、１５）であって、前記要求側のＮＦエンティティ（１４、１５）は、前記有効時間が経過していない限り、前記ネットワーク情報に対する別の要求を控えるように構成される、要求側のＮＦエンティティ（１４、１５）。
【請求項１９】
請求項１７または１８に記載の要求側のＮＦエンティティ（１４、１５）であって、さらに、
前記受信されたネットワーク情報と前記有効時間を記憶する、ように動作する要求側のＮＦエンティティ（１４、１５）。
【請求項２０】
請求項１７から１８のいずれか１項に記載の要求側のＮＦエンティティ（１４、１５）であって、前記要求がなされるネットワークスライスインスタンスを識別する少なくとも１つの識別子と、前記要求がなされるユーザデバイスまたはユーザデバイスのグループを識別する少なくとも１つの識別子とのうちの少なくとも１つを含むようにさらに構成される、要求側のＮＦエンティティ（１４、１５）。
【請求項２１】
請求項１７から２０のいずれか１項に記載の要求側のＮＦエンティティ（１４、１５）であって、さらに、
前記応答側のコアＮＦエンティティ（１３）から、前記決定された有効時間によって規定される推奨周期を含むメッセージを受信し、
前記決定された有効時間によって規定される前記推奨周期を使用すべきか否かを示す確認を前記応答側のコアＮＦエンティティ（１３）に送信する、ように動作する要求側のＮＦエンティティ（１４、１５）。
【請求項２２】
請求項２１に記載の要求側のＮＦエンティティ（１４、１５）であって、さらに、
前記要求されたネットワーク情報のための前記有効時間が変更されたと判定された場合、前記応答側のコアＮＦエンティティ（１３）から更新メッセージを受信し、前記更新メッセージは、前記変更されたと判定された有効時間によって規定される推奨周期を含み、
前記変更されたと判定された有効時間によって規定される前記推奨周期を使用すべきか否かを示す確認を前記応答側のコアＮＦエンティティ（１３）に送信する、ように動作する要求側のＮＦエンティティ（１４、１５）。
【請求項２３】
コンピュータ実行可能な命令が、第１のコアＮＦエンティティ（１３）に含まれるプロセッシングユニット（１１５）上で実行されると、前記第１のコアＮＦエンティティ（１３）に、請求項１から５のいずれか１項に記載のステップを実行させるための当該コンピュータ実行可能な命令を含むコンピュータプログラム（１１６）。
【請求項２４】
コンピュータ可読媒体（１１７）を含むコンピュータプログラムプロダクトであって、前記コンピュータ可読媒体はその上に具現化された請求項２３に記載のコンピュータプログラム（１１６）を有する、コンピュータプログラムプロダクト。
【請求項２５】
コンピュータ実行可能な命令が要求側のＮＦエンティティ（１４、１５）に含まれるプロセッシングユニット（１２５）上で実行されると、当該要求側のＮＦエンティティ（１４、１５）に請求項６から１１のいずれか１項に記載のステップを実行させるための当該コンピュータ実行可能な命令を含む、コンピュータプログラム（１２６）。
【請求項２６】
コンピュータ可読媒体（１２７）を含むコンピュータプログラムプロダクトであって、前記コンピュータ可読媒体はその上に具現化された請求項２５に記載のコンピュータプログラム（１２６）を含む、コンピュータプログラムプロダクト。
【国際調査報告】
2021520745.tif 000014
2021520745.tif 000015